(57)【要約】【課題】壁埋め込み型器具の正面を化粧する化粧板本体の内外の周壁面（切り口）を隠蔽して器具の意匠性を向上し、また化粧板本体の窓孔と器具本体の器具露呈部との高い寸法精度を必要とすることがない器具用化粧板を提供すること。【解決手段】  コード２０が接続されて壁に埋め込まれる器具本体３０の器具露呈部３２Ｓを露呈する窓孔４０ＢＷを有し、前記器具本体３０の前記器具露呈部３２Ｓを除く部分を覆う化粧板本体４０Ｂと、前記化粧板本体４０Ｂの外周の縁を覆う外枠４２と、前記化粧板本体４０Ｂの窓孔４０ＢＷの縁を覆う内枠４４とを備え、前記外枠４２と前記内枠４４は前記器具本体３０に取り付けられる。【選択図】    図１Ｃ
2015167440.tif 000002
【特許請求の範囲】
【請求項１】
コードが接続されて壁に埋め込まれる器具本体の器具露呈部を露呈する窓孔を有し、前記器具本体の前記器具露呈部を除く部分を覆う化粧板本体と、前記化粧板本体の外周の縁を覆う外枠と、前記化粧板本体の窓孔の縁を覆う内枠とを備え、前記外枠と前記内枠は前記器具本体に取り付けられることを特徴とする器具用化粧板。
【請求項２】
請求項１に記載の器具用化粧板であって、前記外枠は前記化粧板本体の外周面を覆う周壁を備え、前記内枠は前記化粧板本体の窓孔の内周面を覆う周壁を備えたことを特徴とする器具用化粧板。
【請求項３】
請求項１又は２に記載の器具用化粧板であって、前記器具本体は前記外枠と前記内枠を取り付ける取付け基板を有し、前記外枠の周壁と前記取付け基板の周壁との凹凸係合による弾性嵌め込みで前記取付け基板に前記外枠を着脱自在に固定する外枠固定手段と、前記内枠の周壁と前記取付け基板の窓孔の内周面との凹凸係合による弾性嵌め込みで前記内枠を前記取付け基板に着脱自在に固定する内枠固定手段とを備えていることを特徴とする器具用化粧板。
【発明の詳細な説明】
【技術分野】
【０００１】
本発明は、壁埋め込み型の種々の器具、例えば、壁埋め込みスイッチ、電源コンセント、壁埋め込みＵＳＢ端子、アンテナ端子の如きコードの端末が接続された種々のコード付き端末器具に用いられる化粧板に関し、更に詳細に述べると、壁板の如き所定の取付け体に取り付けられるコード付き端末器具の器具本体に着脱自在に取り付けられる器具用化粧板に関するものである。
【背景技術】
【０００２】
壁埋め込み型コード端末器具としての電源コンセントを例に述べると、コードの端末に接続され壁板に取り付けられたコンセント本体の如き器具本体は、器具本体が隠蔽されるように器具本体の取付け基板の前面に配置してこの取付け基板にねじ止め等によって着脱自在に固定される化粧板を有しており、その一例が特許文献１（特開平８−９８３６６号）に記載されている。
【０００３】
特許文献１に示すように、この化粧板（特許文献１では「化粧シート」と称されている）は、器具本体の器具露呈部（特許文献１では「配線器具」と称されている）に対応してこの器具露呈部が外方に露呈するように形成された窓孔を有する。この従来技術では、化粧板は、その本体外周の壁面(切り口)を隠蔽するために、化粧板本体の外周を覆うように縁飾りする外枠（特許文献１では「モール」と称されている）が器具本体の取付け基板に着脱自在に取り付けられている。
【０００４】
しかし、化粧板本体は、外周のみではなく、窓孔を形成する開口にも壁面（切り口）があり、特許文献１に開示の技術では、器具露呈部と化粧板本体の窓孔との間の隙間から化粧板本体の窓孔の壁面（切り口）が露呈し、この壁面が器具の見栄えを悪化して器具の意匠性を低下する欠点あった。
【先行技術文献】
【特許文献】
【０００５】
【特許文献１】特開平８―９８３６６号公報
【発明の開示】
【発明が解決しようとする課題】
【０００６】
本発明が解決しようとする課題は、化粧板本体の窓孔を形成する壁面（切り口）も隠蔽し、また化粧板本体の窓孔と器具本体の器具露呈部との高い寸法精度を必要とすることなく、化粧板本体を器具本体に取り付けることができる器具用化粧板を提供することにある。
【課題を解決するための手段】
【０００７】
本発明の課題解決手段は、コードが接続されて壁に埋め込まれる器具本体の器具露呈部を露呈する窓孔を有し、前記器具本体の前記器具露呈部を除く部分を覆う化粧板本体と、前記化粧板本体の外周の縁を覆う外枠と、前記化粧板本体の窓孔の縁を覆う内枠とを備え、前記外枠と前記内枠は前記器具本体に取り付けられることを特徴とする器具用化粧板を提供することにある。
【０００８】
本発明の課題解決手段において、前記外枠は前記化粧板本体の外周面を覆う周壁を備え、前記内枠は前記化粧板本体の窓孔の内周面を覆う周壁を備えている形態とするのが好ましい。
【０００９】
また、本発明の課題解決手段において、前記器具本体は前記外枠と前記内枠を取り付ける取付け基板を有し、前記外枠の周壁と前記取付け基板の周壁との凹凸係合による弾性嵌め込みで前記取付け基板に前記外枠を着脱自在に固定する外枠固定手段と、前記内枠の周壁と前記取付け基板の窓孔の内周面との凹凸係合による弾性嵌め込みで前記内枠を前記取付け基板に着脱自在に固定する内枠固定手段とを備えている形態とすることができる。
【発明の効果】
【００１０】
本発明の器具化粧板は、化粧板本体の外周壁のみではなく、窓孔を形成する内周壁（内周）も枠で縁飾りするので、化粧板本体の周壁面（切り口）が露呈することがなく、化粧板の内外の切り口を隠蔽して器具の意匠性を向上することができる。
【図面の簡単な説明】
【００１１】
【図１Ａ】本発明の器具用化粧板が用いられた電源コンセントの正面図である。
【図１Ｂ】図１Ａの電源コンセントの斜視図である。
【図１Ｃ】図１ＡのＣ−Ｃ線断面図である。
【図１Ｄ】図１ＡのＤ−Ｄ線断面図である。
【図１Ｅ】図１Ｃの「Ｅ」で囲まれた部分の拡大断面図である。
【図１Ｆ】図１Ｄの「Ｆ」で囲まれた部分の拡大断面図である。
【図１Ｇ】図１ＡのＧ−Ｇ線で切断した状態の「Ｆ」で囲まれたのと同様の部分拡大断面図である。
【図２】図１の電源コンセントの分解斜視図である。
【図３Ａ】図１の電源コンセントに用いられる器具本体の取付け基板の正面図である。
【図３Ｂ】図３Ａの取付け基板の背面図である。
【図３Ｃ】図３Ａの取付け基板の左側面図である。
【図３Ｄ】図３Ａの取付け基板の右側面図である。
【図３Ｅ】図３Ａの取付け基板の上面図である。
【図３Ｆ】図３Ａの取付け基板の下面図である。
【図３Ｇ】図３ＡのＧ―Ｇ線断面図である。
【図３Ｈ】図３ＡのＨ−Ｈ線断面図である。
【図４Ａ】図１の電源コンセントに用いられる化粧板の外枠の正面図である。
【図４Ｂ】図４Ａの外枠の背面図である。
【図４Ｃ】図４Ａの外枠の左側面図である。
【図４Ｄ】図４Ａの外枠の右側面図である。
【図４Ｅ】図４Ａの外枠の上面図である。
【図４Ｆ】図４Ａの外枠の下面図である。
【図４Ｇ】図４ＡのＧ―Ｇ線断面図である。
【図４Ｈ】図４ＡのＨ―Ｈ線断面図である。
【図４Ｉ】図４Ｇの下端部分の拡大断面図である。
【図４Ｊ】図４Ｈの右端部分の拡大断面図である。
【図５Ａ】図１の電源コンセントに用いられる化粧板の内枠の正面図である。
【図５Ｂ】図５Ａの内枠の背面図である。
【図５Ｃ】図５Ａの内枠の左側面図である。
【図５Ｄ】図５Ａの内枠の右側面図である。
【図５Ｅ】図５Ａの内枠の上面図である。
【図５Ｆ】図５Ａの内枠の下面図である。
【図５Ｇ】図５ＡのＧ―Ｇ線断面図である。
【図５Ｈ】図５ＡのＨ―Ｈ線断面図である。
【発明を実施するための形態】
【００１２】
本発明の実施の形態を図面を参照して詳細に述べると、図１は、本発明に係る器具用化粧板を用いた壁埋め込み式四口型電源コンセント(壁埋め込み器具)１０を示し、この電源コンセント１０は、コード２０（図１（Ｃ）参照）が接続されたコンセント本体の如きコード付き器具本体３０と、この器具本体３０の器具露呈部（図示の電源コンセントの例ではコンセントの差込み口）３２Ｓを除く部分とこの部分が貫通する壁板７０に開口７０Ｈとを隠蔽する化粧板（フェースプレート）４０とから成っている。
【００１３】
器具本体３０は、図２に示すように、主枠３２Ｆを含むコンセント主部品（器具主部品）３２から成り、コード２０は、このコンセント主部品３２の背面でコンセント主部品３２の導電端子（図示せず）に適宜の手段で接続されている。このコンセント主部品３２は、後に述べるように、その主枠３２Ｆに取り付けられた化粧板取付け用の樹脂製の取付け基板３４を備えている。器具露呈部（コンセント差し込み口）３２Ｓは、コンセント主部品３２のうち壁板７０から露呈して壁埋め込み器具１０を外部からアクセスすることができる部分である。
【００１４】
器具本体３０の主枠３２Ｆは、図２に示すように、上下のねじ３６が貫通する上下の長孔３２ＦＬＨを有し、器具本体３０は、主枠３２Ｆが壁板７０の正面に係合するようにしてコンセント部品３２を壁板７０の開口７０Ｈを貫通して壁板７０内に配置され、上下のねじ３６を長孔３２ＦＬＨに貫通して壁板７０に固定される。
【００１５】
取付け基板３４は、図２及び図３に示すように、器具本体３０のコンセント主部品３２が貫通する窓孔３４Ｗを有する正面板３４Ｓとこの正面板３４Ｓと一体でこの正面板３４Ｓの周縁から後方に延びる周壁３４Ｐとから成っている。正面板３４Ｓは、器具本体３０のコンセント主部品３２を除く部分を覆って壁板７０の開口７０Ｈを閉じる大きさを有する。この取付け基板３４は、その上下のねじ貫通孔３４Ｈを貫通するねじ３８を器具本体３０の主枠３２Ｆの上下のねじ孔３２ＴＨにねじ込んで器具本体３０の主枠３２Ｆに取り付けられている。この取付け基板３４は、壁板７０の開口７０Ｈを閉じ、また、後に述べるように、化粧板２０を保持するためのものである。
【００１６】
化粧板４０は、図示の形態では、プラスチック製の化粧板本体４０Ｂと同様にプラスチック製のスペーサ４０Ｓとを含み、化粧板本体４０Ｂは、スペーサ４０Ｓを介して器具本体３０の取付け基板３４の前面に配置される。図２に示すように、化粧板本体４０Ｂとスペーサ４０Ｓとは、器具本体３０のコンセント主部品３２の器具露呈部３２Ｓが貫通する窓孔４０ＢＷ、４０ＳＷをそれぞれ有してほぼ同じ形状を有する。スペーサ４０Ｓは、後に述べるように、内外の枠によって化粧板本体４０Ｂと共に器具本体３０の取付け基板３４に取り付けた状態で化粧板本体４０Ｂががたつかないように内外の枠に対して厚みを調節する機能を有する。
【００１７】
本発明の化粧板４０は、化粧板本体４０Ｂとスペーサ４０Ｓとを器具本体３０の取付け基板３４に押し付けるように取付け基板３４に着脱自在に取り付ける外枠４２と内枠４４とを更に含んでいる。
【００１８】
外枠４２は、図２及び図４に示すように、化粧板本体４０Ｂの正面外縁に係合する鍔４２Ｆとこの鍔４２Ｆに一体に形成され取付け基板３４の周壁３４Ｐの外面に係合する周壁４２Ｐとから成っており、この外枠４２は、後に述べる外枠固定手段５２によって化粧板本体４０Ｂとスペーサ４０Ｓとを挟んで取付け基板３４に着脱自在に取り付けられる。なお、外枠４２は、取付け基板３４から外枠４２をドライバ等で取り外すために周壁４２Ｐにドライバ挿入用の取外し用溝４２Ｒを有する。
【００１９】
内枠４４は、図２及び図５に示すように、化粧板本体４０Ｂの正面内縁（窓孔４０ＢＷを形成する壁正面の内縁）に係合する鍔４４Ｆとこの鍔４４Ｆに一体に形成され取付け基板３４の窓孔３４Ｗの内周面に係合する周壁４４Ｐとから成っており、この内枠４４は、後に述べる内枠固定手段５４によって、同様に、化粧板本体４０Ｂとスペーサ４０Ｓとを挟んで取付け基板３４に着脱自在に取り付けられる。
【００２０】
外枠固定手段５２は、図１、図２及び図４に示すように、外枠４２の周壁４２Ｐの各内壁面にそれぞれ間隔をあけて設けられた２つの断面略三角形状の凹条５２Ｒと、取付け基板３４の周壁３４Ｐの外面で外枠４２の凹条５２Ｒに対応して設けられた凸条５２Ｐとから成り、外枠４２の周壁４２Ｐを取付け基板３４の周壁３４Ｐに嵌め込むと、外枠４２の周壁４２Ｐが取付け基板３４の周壁３４Ｐの凸条５３Ｐを弾性的に乗り越えて外枠４２の凹条５２Ｒと取付け基板３４の凸条５３Ｐとが相対した際に、凹条５２Ｒに凸条５２Ｐが係入して外枠４２が取付け基板３４に着脱自在に取り付けられる。
【００２１】
内枠固定手段５４は、図１、図２及び図５に示すように、内枠４４の周壁４４Ｐの各外壁面にそれぞれ設けられた各１つの断面略三角形状の凹条５４Ｒと、取付け基板３４の開口３４Ｈの内面で内枠４４の凹条５４Ｒに対応して設けられた凸条５４Ｐとから成り、内枠４４の周壁４４Ｐを取付け基板３４の窓孔３４Ｗに嵌め込むと、内枠４４の周壁４４Ｐが取付け基板３４の窓孔３４Ｗの内壁面の凸条５４Ｐを弾性的に乗り越えて内枠４４の凹条５４Ｒと取付け基板３４の凸条５４Ｐとが相対した際に、凹条５４Ｒに凸条５４Ｐが係入して内枠４４が取付け基板３４に着脱自在に取り付けられる。図示の形態では、取付け基板３４の窓孔３４Ｗは、正面板３４Ｓの窓孔３４Ｗの周りで前方に立ち上がる内周壁３４ＷＰを有し、凸条５４Ｐは、この内周壁３４ＷＰの外面に形成されている。
【００２２】
本発明の化粧板４０は、図１及び図２に示すように、壁板７０にねじ３６で固定された器具本体３０の主枠３２Ｆに固定された取付け基板３４の前面に器具本体３０のコンセント主部品３２の器具露呈部３２Ｓが窓孔４０ＳＷ、４０ＢＷを通して露呈するようにスペーサ４０Ｓ及び化粧板本体４０Ｂを配置した状態で外枠４２と内枠４４とを取付け基板３４の内外の周面に被せて組み立てられるが、この際、外枠４２と内枠４４とは、その周壁４２Ｐ、４４Ｐが取付け基板３４の内周壁３４Ｐ、内周壁３４ＷＰの凸条５２Ｐ、５４Ｐを乗り越えて凹条５２Ｒ、５４Ｒと凸条５２Ｐ、５４Ｐとが弾性的に凹凸係合して外枠４２と内枠４４とがスペーサ４０Ｓ、化粧板本体４０Ｂを挟みつつ取付け基板３４に着脱自在に取り付けられる。
【００２３】
この化粧板４０は、外枠４２の取り外し用溝４２Ｒにドライバ等を挿入することにより、外枠４２、内枠４４を枠固定手段５２、５４の弾性係合に抗して取付け基板３４から取り外して化粧板本体４０Ｂを交換することができ、従って、適宜の模様等を有する種々の化粧板本体４０Ｂを壁埋め込み器具１０の化粧板４０として利用することができる。
【００２４】
なお、上記実施の形態では、枠固定手段５２、５４は、外枠４２、内枠４４側の凹条５２Ｒ、５４Ｒと取付け基板３４側の凸条５２Ｐ、５４Ｐとから成っているが、凹凸は逆であってもよいし、凹凸は、条以外の形態とすることもできる。また、取付け基板３４は、外周壁３４Ｐ、内周壁３４ＷＰに沿って正面板３４Ｓに設けられたスリット３４Ｌを有するが、これは、周壁３４Ｐ、３４ＷＰを取付け基板３４の周壁３４Ｐ、３４ＷＰに嵌め込む際に、これらの周壁が撓み易くして枠４２、４４が取付け基板３４の周壁３４Ｐ、３４ＷＰの凸条５２Ｐ、５４Ｐを乗り越え易いようにするためのものである。
【００２５】
本発明の化粧板は、上記のように、化粧板本体４０Ｂの外周のみでなく、窓孔４０ＢＷを形成する内壁（内周）も枠で縁飾りするので、化粧板本体４０Ｂの内外の切り口を隠蔽して壁埋め込み器具１０の意匠性を向上することができる。なお、化粧板本体４０Ｂの内側の切り口の全周を隠蔽しているが、少なくとも一部を隠蔽していてもよい。
【００２６】
また、特に、内枠４４は、器具本体３０の器具露呈部３２Ｓと化粧板本体４０Ｂの窓孔４０ＢＷとの間の寸法精度が高くなくても、内枠４４の鍔４４Ｆが器具本体３０の器具露呈部３２Ｓと化粧板本体４０Ｂの窓孔４０ＢＷとの隙間を隠すことができるので、部品加工において高い寸法精度が要求されることがなく、従って器具本体３０に化粧板４０を取り付ける作業を容易に行うことができる。
【産業上の利用可能性】
【００２７】
本発明によれば、器具の化粧板の意匠性を向上することができる上に、高い寸法精度を必要とすることなく、化粧板と器具本体との組み立てを容易に行うことができ、高い産業上の利用可能性を有する。
【符号の説明】
【００２８】
１０  壁埋め込み式四口型電源コンセント
２０  コード
３０  コード付き器具本体
３２  コンセント主部品
３２Ｓ  器具露呈部（コンセントの差込み口）
３２Ｆ  主枠
３２ＦＬＨ  長孔
３２ＦＴＨ  ねじ孔
３４  取付け基板
３４Ｗ  窓孔
３４ＷＰ  内周壁
３４Ｓ  正面板
３４Ｐ  外周壁
３４ＷＰ  内周壁
３４Ｌ  スリット
３６  ねじ
３８  ねじ
４０  化粧板（フェースプレート）
４０Ｂ  プラスチック製の化粧板本体
４０ＢＷ  窓孔
４０Ｓ  プラスチック製のスペーサ
４０ＳＷ  窓孔
４２  外枠
４２Ｆ  鍔
４２Ｐ  周壁
４２Ｒ  ドライバ挿入用取り外し溝
４４  内枠
４４Ｆ  鍔
４４Ｐ  周壁
５２  外枠固定手段
５２Ｒ  凹条
５２Ｐ  凸条
５４  内枠固定手段
５４Ｒ  凹条
５４Ｐ  凸条
【図１Ａ】
2015167440.tif 000003
【図１Ｂ】
2015167440.tif 000004
【図１Ｃ】
2015167440.tif 000005
【図１Ｄ】
2015167440.tif 000006
【図１Ｅ】
2015167440.tif 000007
【図１Ｆ】
2015167440.tif 000008
【図１Ｇ】
2015167440.tif 000009
【図２】
2015167440.tif 000010
【図３Ａ】
2015167440.tif 000011
【図３Ｂ】
2015167440.tif 000012
【図３Ｃ】
2015167440.tif 000013
【図３Ｄ】
2015167440.tif 000014
【図３Ｅ】
2015167440.tif 000015
【図３Ｆ】
2015167440.tif 000016
【図３Ｇ】
2015167440.tif 000017
【図３Ｈ】
2015167440.tif 000018
【図４Ａ】
2015167440.tif 000019
【図４Ｂ】
2015167440.tif 000020
【図４Ｃ】
2015167440.tif 000021
【図４Ｄ】
2015167440.tif 000022
【図４Ｅ】
2015167440.tif 000023
【図４Ｆ】
2015167440.tif 000024
【図４Ｇ】
2015167440.tif 000025
【図４Ｈ】
2015167440.tif 000026
【図４Ｉ】
2015167440.tif 000027
【図４Ｊ】
2015167440.tif 000028
【図５Ａ】
2015167440.tif 000029
【図５Ｂ】
2015167440.tif 000030
【図５Ｃ】
2015167440.tif 000031
【図５Ｄ】
2015167440.tif 000032
【図５Ｅ】
2015167440.tif 000033
【図５Ｆ】
2015167440.tif 000034
【図５Ｇ】
2015167440.tif 000035
【図５Ｈ】
2015167440.tif 000036